(57)【特許請求の範囲】
【請求項１】
筆記媒体を収容する外筒を有し、この外筒の内部には当該外筒の先端口から前記筆記媒体の先端を出没させる繰り出し機構が設けられ、また前記外筒の外周部には前記繰り出し機構を動作させるノック操作部が設けられているノック式筆記具であって、
前記外筒の上端部に中空のドーム部が設けられ、このドーム部の内部には文字や絵柄等の図形が表示された表示板が回転自在に配置されるとともに、前記ノック操作部の操作に連動して前記表示板を回転駆動する回転駆動機構が配置され、前記ドーム部の周面の一部には前記表示板の図形観察用の透視窓が形成されており、
前記回転駆動機構は、
前記表示板が取り付けられ、周方向に沿う複数箇所にピン部が形成されるとともに回転自在に軸支されたピン歯車と、
前記ノック操作部または繰り出し機構に連結されて外筒の軸方向に沿って摺動可能に設けられた歯車駆動部材とを含み、
前記歯車駆動部材に、軸の先端方向への摺動に伴ってピン部に引っかかって押し下げることによりピン歯車を回転させる押下片と、軸の反対方向への摺動に伴ってピン部に引っかかって押し上げることによりピン歯車を回転させる押上片とが形成されて構成されていることを特徴とするノック式筆記具。
【請求項２】
前記外筒の外周上部には軸方向に沿ってクリップ部が摺動可能に設けられ、このクリップ部が前記ノック操作部として兼用されている請求項１記載のノック式筆記具。
【発明の詳細な説明】
【技術分野】
【０００１】
本発明は、ノック操作に応じて文字や絵柄等の図形を回転表示するようにしたノック式筆記具に関するものである。
【背景技術】
【０００２】
一般に、ポールペンやシャープペンシルなどのノック式筆記具は、リフィールや鉛筆芯などの筆記媒体を収容する外筒を有し、この外筒の内部に当該外筒の先端口から筆記媒体の筆先を出没させる繰り出し機構が設けられ、また外筒の外周部には繰り出し機構を動作させるノック操作部が設けられている。そして、ノック操作部をノック操作することで、これに応じて繰り出し機構が連動して外筒の先端口から筆記媒体の筆先が出没されるようになっている。
【０００３】
ところで、このようなノック式筆記具において、従来、外筒の表面に文字、絵柄などの図形を印刷したものが提供されている。しかし、このような単に図形を印刷したものでは、その表示形態に変化がないので、子供などの使用者の興味を引くものではなく、遊び心を喚起したものとはなっていない。
【０００４】
そこで、従来技術では、ノック式筆記具において、外筒の内部に文字や絵柄等の図形を表示した回転ドラムとこの回転ドラムを駆動する回転駆動機構とを配置するとともに、外筒の一部に透視窓を設け、ノック操作部をノック操作するたびに、これに応じて回転駆動機構が回転ドラムを一定角度ごとに回転させて透視窓を通して図形が変化するのを観察できるようにした構成のものが提案されている（例えば、特許文献１参照）。
【０００５】
また、他の従来技術では、回転ドラムを設ける代わりに、外筒内に配置されたボールペンリフィールに図形を表示し、このリフィールを外筒内に設けた回転駆動機構で駆動するようにした構成のものも提案されている（例えば、特許文献２参照）。
【０００６】
【特許文献１】特開２００１−２１９６８９号公報
【特許文献１】特開２００１−３４１４９２号公報
【発明の開示】
【発明が解決しようとする課題】
【０００７】
ところで、上記の特許文献１，２に記載されている従来のいずれのノック式筆記具においても、未だ次の課題が残されている。
【０００８】
（１）従来のものは、筆記媒体を収容する外筒の内部に図形を表示した回転ドラムやリフィールを配置しているため、外筒の外径寸法によって図形を表示する回転ドラムやリフィールの外径寸法が制約される。つまり、外筒の外径寸法以上に回転ドラムの外径を大きくすることができないので、回転ドラムやリフィールに表示される図形の大きさが制約される。このため、表示される図形が相対的に小さくなるだけでなく、図形の表現形態も制約されるので、多様な遊び心を十分に満たすようにすることが難しい。
【０００９】
（２）外筒の内部に回転ドラムやリフィール、ならびにこれらを回転駆動する回転駆動機構が配置されているので、外筒の外径寸法が通常のものに比べて必然的に大きくならざるを得ない。このため、本来の筆記機能を損ない易い。つまり、ノック式筆記具を使用する際には外筒を把持することになるが、外筒が太いと手に馴染みにくく使い勝手が悪い。
【００１０】
（３）外筒の外径寸法を通常のものと同程度の大きさに設定すると、外筒内に回転駆動機構を収納することが難しくなるだけでなく、外筒内の回転ドラムやリフィールに表示される図形も小さくならざるを得ず、その結果、図形の変化が見づらくなってしまう。
【００１１】
本発明は、上記のような事情に鑑みなされたもので、クリップ操作をするたびに様々な図形が変化して遊び心を十分に満たすことが可能で、しかも、外筒の外径寸法を徒に大きくする必要がなくて使い勝手がよいノック式筆記具を提供することを目的とする。
【課題を解決するための手段】
【００１２】
上記目的を達成するため、本発明のノック式筆記具は、筆記媒体を収容する外筒を有し、この外筒の内部には当該外筒の先端口から前記筆記媒体の先端を出没させる繰り出し機構が設けられ、また前記外筒の外周部には前記繰り出し機構を動作させるノック操作部が設けられているノック式筆記具であって、
前記外筒の上端部に中空のドーム部が設けられ、このドーム部の内部には文字や絵柄等の図形が表示された表示板が回転自在に配置されるとともに、前記ノック操作部の操作に連動して前記表示板を回転駆動する回転駆動機構が配置され、前記ドーム部の周面の一部には前記表示板の図形観察用の透視窓が形成されており、
前記回転駆動機構は、
前記表示板が取り付けられ、周方向に沿う複数箇所にピン部が形成されるとともに回転自在に軸支されたピン歯車と、
前記ノック操作部または繰り出し機構に連結されて外筒の軸方向に沿って摺動可能に設けられた歯車駆動部材とを含み、
前記歯車駆動部材に、軸の先端方向への摺動に伴ってピン部に引っかかって押し下げることによりピン歯車を回転させる押下片と、軸の反対方向への摺動に伴ってピン部に引っかかって押し上げることによりピン歯車を回転させる押上片とが形成されて構成されていることを要旨とする。
【発明の効果】
【００１３】
本発明のノック式筆記具によれば、筆記媒体を収容する外筒の上端部に中空のドーム部が設けられ、このドーム部の内部に文字や絵柄等の図形が表示された表示板や回転駆動機構が配置された構成となっているので、表示板に表示される図形の大きさが外筒の外径寸法によって制約を受けることがない。そのため、様々な図形の表現形態を採用することができ、ノック操作部をノック操作しながらドーム部の透視窓を通して図形の回転変化を観察することで遊び心を十分に満足させることができる。しかも、従来のように外筒の外径寸法が徒に大きくなることがないので、本来の筆記機能を損なうことがない。つまり、ノック式筆記具を使用する際に外筒を把持しても、外筒がスリムなままなので手に馴染み易く使い勝手が良い。
【００１４】
また、前記回転駆動機構は、
前記表示板が取り付けられ、周方向に沿う複数箇所にピン部が形成されるとともに回転自在に軸支されたピン歯車と、
前記ノック操作部または繰り出し機構に連結されて外筒の軸方向に沿って摺動可能に設けられた歯車駆動部材とを含み、
前記歯車駆動部材に、軸の先端方向への摺動に伴ってピン部に引っかかって押し下げることによりピン歯車を回転させる押下片と、軸の反対方向への摺動に伴ってピン部に引っかかって押し上げることによりピン歯車を回転させる押上片とが形成されて構成されているため、
回転駆動機構が比較的簡単な構成であるにもかかわらず、ノック操作部の操作に応じて文字や絵柄等の図形が表示された表示板を円滑かつ確実に回転させることができる。
【００１５】
本発明において、前記外筒の外周上部には軸方向に沿ってクリップ部が摺動可能に設けられ、このクリップ部が前記ノック操作部として兼用されている場合には、摺動可能に設けられたクリップ部を操作することで繰り出し機構および回転駆動機構を共に動作させることができるので、クリップ以外に各機構を動作させるための専用のノック操作部を別途設ける必要がなく、筆記具全体の構成を簡略化することができる。
【発明を実施するための最良の形態】
【００１６】
つぎに、本発明を実施するための最良の形態を説明する。
【００１７】
図１は本発明の実施の形態におけるノック式筆記具の全体を示す正面図、図２は同筆記具の上部を一部切り欠いて示す右側面図、図３は同筆記具のドーム部内に設けられた表示板や回転駆動機構を示す正面断面図、図４は同筆記具のドーム部内に設けられた表示板や回転駆動機構を示す右側面断面図、図５は同筆記具のドーム部内に設けられた表示板や回転駆動機構を示す左側面断面図である。
【００１８】
この実施の形態のノック式筆記具１は、ボールペンとして適用されるもので、リフィールなどの筆記媒体を収容する外筒２を有し、この外筒２の内部には当該外筒２の先端口から筆記媒体の筆先を出没させる繰り出し機構（図示せず）が設けられている。
【００１９】
また、外筒２の外周上部には軸方向に沿ってクリップ部３が摺動可能に設けられており、このクリップ部３が外筒２内において後述する回転駆動機構７を構成する歯車駆動部材１３の下端部に一体に連結されるとともに、繰り出し機構にも連係されている。したがって、このクリップ部３は、本来のクリップ作用に加えて、繰り出し機構および回転駆動機構７の双方を動作させるノック操作部として兼用されている。
【００２０】
外筒２の上端部には外観が略球形をした中空のドーム部５が一体的に設けられている。すなわち、このドーム部５は、組み立て時にそれぞれ半球状をした前部５ａと後部５ｂとを一体的に接合して形成されており、このドーム部５が外筒２の上端に一体的に嵌着されている。なお、このドーム部５の形状はこの実施の形態のような球形に限らず、多面体に形成されたものであってもよい。
【００２１】
そして、このドーム部５の内部には、表示板６が設けられるとともに、クリップ部３の操作に連動して表示板６を回転駆動する回転駆動機構７が配置されている。また、ドーム部５の周面の表示板６に対面する箇所には、表示板６の図形観察用の透視窓８が形成されている。この透視窓８は、例えば透明樹脂製のもので、拡大レンズとしての作用をもつように前後に膨出させた構成となっている。
【００２２】
上記の表示板６には、文字や絵柄等の図形が周方向に沿って順次表示されている。なお、ここでは一例として、Ａ〜Ｆの文字が表示されているが、各種の絵柄や写真などを表示することもできる。また、表示板６に対して図形を直接に印刷したり、あるいは表示板６自体として写真を焼き付けた写真フィルムを用いることができる。
【００２３】
上記の回転駆動機構７は、ピン歯車１１、このピン歯車１１を回転自在に支持する支軸１２、ピン歯車１１を回転させる歯車駆動部材１３、および歯車駆動部材１３を元の位置に復帰させる復帰ばね１４によって構成されている。
【００２４】
ピン歯車１１は、周方向に沿う複数箇所に支軸１２の軸方向に向けて突出したピン部１１ａが形成されており、このピン歯車１１に表示板６が固定されている。また、この場合の各ピン部１１ａは、表示板６の中心を挟んで常に互いが対向するように偶数倍の数だけ形成される。
【００２５】
支軸１２は、歯車駆動部材１３の摺動方向と直交するようにドーム部５の前部５ａと後部５ｂとから互いに対向して突出された一対の支持円筒部１２ａ，１２ｂからなり、一方の支持円筒部１２ｂの先端が表示板６およびピン歯車１１に挿通され、その挿通部分の先端が他方の支持円筒１２ａの内部に嵌合されて構成されている。
【００２６】
また、歯車駆動部材１３は、外筒２の軸方向に沿って摺動可能に設けられている。この歯車駆動部材１３は、可撓性を有し、その上部が左右に並列して分岐されて分岐部１３ａ，１３ｂが形成されており、各分岐部１３ａ，１３ｂの上端部分には、図４および図５に示すようにピン歯車１１のピン部１１ａを押し下げる押下片１３ｃおよびピン部１１ａを押し上げる押上片１３ｄがそれぞれ形成されている。
【００２７】
この場合、一方の分岐部１３ａに形成された押下片１３ｃは、その上面が下方に傾斜した傾斜面に形成され、また底面が平面に形成されている。また、他方の分岐部１３ｂに形成された押上片１３ｄは、上面が平面に形成され、また底面が下方に傾斜した傾斜面に形成されている。しかも、押下片１３ｃは押上片１３ｄよりも一つのピン部１１ａの外径分よりも若干上方に位置するように、押下片１３ｃを有する分岐部１３ａの長さが押上片１３ｄを有する分岐部１３ｂの長さよりも長尺になるように設定されている。
【００２８】
さらに、復帰ばね１４は、その上端が支軸１２に掛止され、下端が歯車駆動部材１３に形成されたばね止め１３ｅに掛止されている。
【００２９】
上記構成において、クリップ部３を引き下げた後、手を離すというノック操作を繰り返すと、外筒２内の図示しない繰り出し機構によって外筒２の先端口から筆記媒体の筆先が出没されるが、この場合の動作はノック式筆記具として周知のものであるから詳しい説明は省略する。
【００３０】
次に、表示板６を回転させる場合の動作に着目すると、クリップ部３を引き下げることにより、これに連動して復帰ばね１４のばね力に抗して歯車駆動部材１３が引き下げられる。これに伴い、歯車駆動部材１３の押下片１３ｃの底面がその下のピン部１１ａに引っ掛かるので、表示板６が図３において時計方向に回転される一方、押上片１３ｄは底面が傾斜しているのでその下のピン部１１ａを乗り越えて下方に移動される。
【００３１】
続いて、クリップ部３から手を離すと、図示しない繰り出し機構の復帰ばね１４のばね力によって歯車駆動部材１３が引き上げられる。これに伴い、押下片１３ｃは上面が傾斜しているのでその上のピン部１１ａを乗り越えて上方に移動される一方、押上片１３ｄの上面がその上のピン部１１ａに引っ掛かるので、表示板６が図３において時計方向に回転される。したがって、クリップ部３を引き下げた後、手を離すという１回のノック操作で、ピン部１１ａの周方向の２ピッチ分に相当する角度だけ表示板６が回転されることになる。
【００３２】
このように、この実施の形態のノック式筆記具は、筆記媒体を収容する外筒２の上端部に中空のドーム部５が一体的に設けられ、このドーム部５の内部に文字や絵柄等の図形が表示された表示板６や、この表示板６を回転駆動する回転駆動機構７が配置された構成となっているので、回転変化する図形の大きさが外筒２の外径寸法によって制約を受けない。このため、様々な図形の表現形態を採用することができる。
【００３３】
そして、ドーム部５の透視窓８を通して表示板６を観察すれば、クリップ部３をノック操作するたびにこれに連動してドーム部５内の表示板６が回転して文字や絵柄等の図形が変化するので、子供などの遊び心を十分に満足させることができる。
【００３４】
しかも、従来のように外筒２の外径寸法が徒に大きくなることがないので、本来の筆記機能を損なうことがない。つまり、ノック式筆記具を使用する際に外筒２を把持しても、外筒２がスリムなので手に馴染み易くて使い勝手が良い。
【００３５】
さらに、この実施の形態では、回転駆動機構７が比較的簡単な構成であるにもかかわらず、クリップ部３のノック操作に応じて文字や絵柄等の図形が表示された表示板６を円滑かつ確実に回転させることができるので、故障発生を少なくすることができる。
【００３６】
なお、上記の実施の形態では、クリップ部３を外周の軸方向に沿って摺動可能に設け、このクリップ部３を歯車駆動部材１３に直接連結しているが、この構成に限らず、例えば、クリップ部３は外筒２に固定のままで、繰り出し機構を動作させる専用のノック操作部を設け、また、繰り出し機構のスライド部材に歯車駆動部材１３を一体的に連結し、ノック操作部３のノック操作に応じて繰り出し機構のスライド部材が外筒２内を摺動するのに連動して歯車駆動部材１３を摺動させて表示板６を回転駆動させる構成とすることも可能である。
【００３７】
また、この実施の形態では、ドーム部５内において歯車駆動部材１３を元の位置まで復帰させる復帰ばね１４を設けているが、この復帰ばね１４を省略し、繰り出し機構が備える復帰ばねのばね力を利用して歯車駆動部材１３を元の位置まで復帰させる構成とすることも可能である。
【００３８】
また、本発明は上記の実施の形態や変形例で説明した構成に限定されるものではなく、その趣旨を逸脱しない範囲内において各種の変形を加えることが可能である。
【００３９】
さらに、この実施の形態では、ノック式筆記具としてボールペンに適用した場合について説明したが、本発明はこれに限定されるものではなく、シャープペンにも適用することができる。
【００４０】
以上のように、本発明のノック式筆記具によれば、筆記媒体を収容する外筒の上端部に中空のドーム部が一体に設けられ、このドーム部の内部に文字や絵柄等の図形が表示された表示板や回転駆動機構が配置された構成となっているので、表示板に表示される図形の大きさが外筒の外径寸法によって制約を受けることがない。そのため、様々な図形の表現形態を採用することができ、ノック操作部をノック操作しながらドーム部の透視窓を通して図形の回転変化を観察することで遊び心を十分に満足させることができる。しかも、従来のように外筒の外径寸法が徒に大きくなることがないので、本来の筆記機能を損なうことがない。つまり、ノック式筆記具を使用する際に外筒を把持しても、外筒がスリムなままなので手に馴染み易く使い勝手が良い。
【００４１】
また、前記回転駆動機構は、周方向に沿う複数箇所にピン部が形成されたピン歯車が回転自在に軸支され、このピン歯車に前記表示板が取り付けられており、また、可撓性を有する歯車駆動部材が外筒の軸方向に沿って摺動可能に設けられ、この歯車駆動部材には、前記ピン歯車のピン部形成側に対面して前記ピン部を押し下げる押下片およびピン部を押し上げる押上片が共に形成され、この歯車駆動部材が前記ノック操作部または前記繰り出し機構に連結されてなる場合には、回転駆動機構が比較的簡単な構成であるにもかかわらず、ノック操作部の操作に応じて文字や絵柄等の図形が表示された表示板を円滑かつ確実に回転させることができる。
【００４２】
また、前記外筒の外周上部には軸方向に沿ってクリップ部が摺動可能に設けられ、このクリップ部が前記ノック操作部として兼用されている場合には、摺動可能に設けられたクリップ部を操作することで繰り出し機構および回転駆動機構を共に動作させることができるので、クリップ以外に各機構を動作させるための専用のノック操作部を別途設ける必要がなく、筆記具全体の構成を簡略化することができる。
【図面の簡単な説明】
【００４３】
【図１】本発明の実施の形態におけるノック式筆記具の全体を示す正面図である。
【図２】同筆記具の上部を一部切り欠いて示す右側面図である。
【図３】同筆記具のドーム部内に設けられた表示板や回転駆動機構を示す正面断面図である。
【図４】同筆記具のドーム部内に設けられた表示板や回転駆動機構を示す右側面断面図である。
【図５】同筆記具のドーム部内に設けられた表示板や回転駆動機構を示す左側面断面図である。
【符号の説明】
【００４４】
１    ノック式筆記具
２    外筒
３    クリップ部（ノック操作部）
５    ドーム部
５ａ  前部
５ｂ  後部
６    表示板
７    回転駆動機構
８    透視窓
１１    ピン歯車
１１ａ  ピン部
１２    支軸
１３    歯車駆動部材
１３ａ  分岐部
１３ｂ  分岐部
１３ｃ  押下片
１３ｄ  押上片
１３ｅ  ばね止め
１４    復帰ばね
【図１】
0004796342.tif 000002
【図２】
0004796342.tif 000003
【図３】
0004796342.tif 000004
【図４】
0004796342.tif 000005
【図５】
0004796342.tif 000006